(57)【要約】【課題】フィルム型前面フィルターに、適切なブラックフレームを有する表示パネルモジュール及びその製造方法を提供する。【解決手段】  図7Aに示すように、上板115と下板125が密着されたＰＤＰ130を用意し、上板115の前面に、ブラックセラミックを外縁に沿って印刷した後、熱処理して焼成する。その結果、図7Bに示すように、ブラックフレーム90はＰＤＰ130の上板115に固定される。この場合、ブラックセラミックの焼成温度は、ガラスタイプ前面フィルターに含まれるブラックセラミックの焼成温度と同様の範囲に設定する。図7Cに示すように、フィルムタイプ前面フィルター80を別途に用意して、ブラックフレーム90が形成されたＰＤＰ130の前面に取り付けられる。ブラックフレーム90形成時の焼成工程によるフィルムタイプ前面フィルターの損傷（例えば、クラック）を防止する。【選択図】図７
2004326121.tif 000002
【特許請求の範囲】
【請求項１】
表示パネルと、
前記表示パネルの前面に形成されて有効画面領域を決定するブラックフレームと、
電磁波遮蔽及び光学補正のために、前記ブラックフレームが形成された表示パネルの前面に形成された前面フィルターと、
を備えることを特徴とする表示パネルモジュール。
【請求項２】
前記前面フィルターは、フィルムタイプ前面フィルターであることを特徴とする請求項１に記載の表示パネルモジュール。
【請求項３】
前記フィルムタイプ前面フィルターは、
外部光反射を防止するための反射防止膜と、
前記表示パネルからの電磁波を遮蔽する電磁波遮蔽膜と、
前記表示パネルからの近赤外線を遮蔽する近赤外線遮断膜と、
を含むことを特徴とする請求項２に記載の表示パネルモジュール。
【請求項４】
前記近赤外線遮断膜は、色補正のための色調節染料をさらに含むことを特徴とする請求項３に記載の表示パネルモジュール。
【請求項５】
表示パネルを形成する段階と、
前記表示パネルの前面に有効画面領域を決定するブラックフレームを形成する段階と、
前記ブラックフレームが形成された表示パネルの前面に、フィルムタイプ前面フィルターを取付ける段階と、
を含むことを特徴とする表示パネルモジュールの製造方法。
【請求項６】
前記ブラックフレームを形成する段階は、
前記表示パネルの前面にブラックセラミックを印刷する段階と、
前記ブラックセラミックを焼成する段階と、
を含むことを特徴とする請求項５に記載の表示パネルモジュールの製造方法。
【発明の詳細な説明】
【技術分野】
【０００１】
本発明は、フィルムタイプ前面フィルターに適したブラックフレームを有する表示パネルモジュール及びその製造方法に関する。
【背景技術】
【０００２】
一般に、ＰＤＰはデジタルビデオデータに基づき、画素それぞれのガス放電期間を制御することによって画像を表示する。このようなＰＤＰとしては図１に示したように３電極を備え、交流電圧により駆動される交流型ＰＤＰが代表的である。
【０００３】
図１は、通常的に交流（ＡＣ）型ＰＤＰ３０の構造を示した斜視図であって、特に一つのサブピクセルに相応する放電セルの構造を図示する。
【０００４】
図１に示した放電セルは、上板１５と下板２５で分けられている。上板１５は、上部基板１０上に次々と形成される、維持電極対１２Ａ、１２Ｂ、上部誘電体層１４及び保護膜１６を有し、下板２５は、下部基板１８上に次々と形成される、データ電極２０、下部誘電体層２２、隔壁２４及び蛍光体層２６を有する。
【０００５】
上部基板１０と下部基板１８は、隔壁２４により間隔をおいて平行にされている。
維持電極対１２Ａ、１２Ｂそれぞれは、可視光透過のための透明電極を含み、また、透明電極の抵抗成分を補償するための金属電極を含む。透明電極は、金属電極よりも比較的、広い幅を有している。このような維持電極対１２Ａ、１２Ｂは、走査電極１２Ａ及び維持電極１２Bで構成される。走査電極１２Ａは、データ供給時間を決定する走査信号と、放電維持のための維持信号を供給し、維持電極１２Ｂは、その放電維持のための維持信号を主に供給する。
【０００６】
上部誘電体層１４と下部誘電体層２２には、ガス放電時生成された電荷が蓄積される。そして、保護膜１６は、プラズマのスパッタリングによる上部誘電体層１４の損傷を防止し、ＰＤＰの寿命を延長し、２次電子の放出効率を高める。保護膜１６として、通常酸化マグネシウム（ＭｇＯ）が利用される。このような誘電体層１４、２２と保護膜１６は、外部から印加される放電電圧を低くめるようにする。
【０００７】
データ電極２０は、前記維持電極対１２Ａ、１２Ｂと交差するように形成される。このデータ電極２０は、表示されるセルを選択するためのデータ信号を供給する。
【０００８】
隔壁２４は、上部および下部基板１０、１８と共に放電空間を用意するものである。隔壁２４は、データ電極２０と平行に形成され、ガス放電で生成された紫外線が隣接したセルに漏れることを防止する。
【０００９】
蛍光体層２６は、下部誘電体層２２及び隔壁２４の表面に塗布され、赤色、緑色または青色のうちいずれか一つの可視光線を発生する。放電空間には、ガス放電のためのＨｅ、Ｎｅ、Ａｒ、Ｘｅ、Ｋｒなどの不活性ガス、これらが組合された放電ガス、または放電により紫外線を発生させることができるエキシマ（Eximer）ガスが充填される。
【００１０】
このような構造の放電セルは、データ電極２０と走査電極１２Ａ間の対向放電により選択され、走査電極１２Ａと維持電極１２Ｂ間の面放電により、放電を維持される。これにより、螢光体層２６は、維持放電時に発生する紫外線により励起され、可視光がセル外部に放出される。この場合、放電セルはビデオデータによってセルの放電維持期間、すなわち維持放電回数を制御して、階調（Gray Scale Level）で光を放射する。
【００１１】
図２は、図１に示したＰＤＰ３０を含むＰＤＰセットを概略的に示した分解斜視図である。
図２に示したＰＤＰセットは、ケース６０と、ケース６０内に収容される印刷回路基板（以下、ＰＣＢと称する）５０、ＰＤＰ３０、ガラスタイプ前面フィルター４０と、ガラスタイプ前面フィルター４０を覆うケース６０と結合されるカバー７０を備える。
【００１２】
ＰＤＰ３０は、図１に示したような上板１５と下板２５が、互いに接合されて形成される。
ＰＤＰ３０の背面側に位置するＰＣＢ５０は、ＰＤＰ３０に形成された維持電極対１２Ａ、１２Ｂ及びアドレス電極２０を駆動するための複数の駆動及び制御回路を備える。このようなＰＣＢ５０とＰＤＰ３０の間にはＰＤＰ３０及びＰＣＢ５０から放出される熱を放出させるための放熱板（図示せず）が設置される。
【００１３】
ガラスタイプ前面フィルター４０は、ＰＤＰ３０から前面側へ発生する電磁波を遮蔽し、外部光反射防止、近赤外線遮蔽、そして色補正をする。このために、ガラスタイプ前面フィルター４０は、図３に示すように、ガラス基板４２の前面に取り付けられた第１反射防止膜４４と、ガラス基板４２の背面に、以下の順で接着される、ブラックフレーム４５、電磁波遮蔽膜４６、近赤外線遮蔽膜４８、色補正膜５２、そして第２反射防止膜５４を備える。
【００１４】
ガラス基板４２は、強化ガラスを用いてガラスタイプ前面フィルター４０を支持し、前面フィルター４０及びＰＤＰ３０が、外部衝撃により破損しないように保護する。
第１及び第２反射防止膜４４、５４は、外部から入射した光が再び外部に反射されることを防止し、コントラストを向上させる。
【００１５】
ブラックフレーム４５は、図４に示されるように、ＰＤＰ３０の外側に沿って形成され、有効画面領域を決定すると共に、相対的に画面輪郭が目立つようにする。このようなブラックフレーム４５は、ガラス基板４２の背面にブラックセラミックを印刷した後、熱処理工程で焼成することによってガラス基板４２に固定される。
【００１６】
電磁波遮蔽膜４６は、ＰＤＰ３０から発生した電磁波を吸収し、その電磁波が外部に放出されるのを遮蔽する。
近赤外線遮蔽膜４８は、ＰＤＰ３０で発生した約８００〜１０００ｎｍ波長帯域の近赤外線を吸収し、外部に放射されるのを遮蔽することによって、リモコンなどで発生した制御用赤外線（約９４７ｎｍ程度）が、前記近赤外線の妨害なしにＰＤＰセットに用意された赤外線受信部に、正常に入力されることができるようにする。
【００１７】
色補正膜５２は、色調節染料（Color Dye）を含んで色調を調節することによって、色純度を高める。このような複数の薄膜４４、４６、４８、５２、５４は、粘着剤または接着剤を介してガラス基板４２に接着される。
【００１８】
ケース６０は、ＰＣＢ５０、ガラスタイプ前面フィルター４０、及びＰＤＰ３０を、外部衝撃から保護すると共に、ＰＤＰ３０の側面及び背面に放出される電磁波を遮蔽する。また、ケース６０は、ガラスタイプ前面フィルター４０をＰＤＰ３０と離隔させるように、その背面側で支持する支持部材（図示せず）によって、ガラスタイプ前面フィルター４０の電磁波遮蔽膜４６と電気的に接続される。これにより、ケース６０はガラスタイプ前面フィルター４０の電磁波遮蔽膜４６と共にグラウンド電圧に接地されて、ＰＤＰ３０から放出された電磁波を吸収して放電させることによって、電磁波が外部に放出されるのを遮蔽する。
【００１９】
カバー７０は、ガラスタイプ前面フィルター４０の前面外側を覆い、ケース６０と固定される。
このように、従来のＰＤＰセットは、電磁波を遮蔽すると共に、光学特性を補正するためのガラスタイプ前面フィルター４０を用いる。しかし、ガラスタイプ前面フィルター４０は、比較的、厚いガラス基板、すなわち強化ガラス４２を含み、ＰＤＰセットの厚さ及び重さ増加の主要原因になるだけでなく、製造原価が高くなる短所を有する。
【００２０】
このため、図５に示すような、ガラス基板を除去したフィルムタイプ前面フィルターが提案された。図５に示したフィルムタイプ前面フィルター６５は、ＰＤＰ３０の上板１５に、以下の順で接着される、色補正膜６８、近赤外線遮蔽膜６６、電磁波遮蔽膜６４、そして反射防止膜６２を備える。
【００２１】
反射防止膜６２は、外部から入射した光が再び外部に反射されることを防止する。
電磁波遮蔽膜６４は、ＰＤＰ３０から発生した電磁波を吸収し、放電させることによってその電磁波が外部に放出されるのを遮蔽する。
近赤外線遮蔽膜６６は、ＰＤＰ３０から発生した近赤外線を吸収し、外部に放射されるのを遮蔽する。
色補正膜６８は、色調節染料を含んで色調を調節することによって色純度を高めるようになる。
【００２２】
このような複数の薄膜６２、６４、６６、６８は、粘着剤または接着剤を介して、ＰＤＰ３０の上板１５に接着される。
このようなフィルムタイプ前面フィルター６５内にブラックフレームを形成する場合、前述したようにブラックフレームを固定させるための熱処理工程を必要とする。しかし、フィルムタイプ前面フィルター６５を高温で熱処理する場合、フィルムタイプ前面フィルター６５に、亀裂のような損傷が発生する。
このため、フィルムタイプ前面フィルター６５内にブラックフレームを形成することは、困難である。
【発明の開示】
【発明が解決しようとする課題】
【００２３】
本発明の目的は、フィルムタイプ前面フィルターに適するブラックフレームを有する表示パネルモジュール及びその製造方法を提供することにある。
【課題を解決するための手段】
【００２４】
本発明による表示パネルモジュールは、表示パネルと；前記表示パネルの前面に形成されて有効画面領域を決定するブラックフレームと；前記ブラックフレームが形成された表示パネルの前面に形成されて電磁波遮蔽及び光学補正のための前面フィルターを備えることを特徴とする。
【００２５】
また、前記前面フィルターは、フィルムタイプ前面フィルターであることを特徴とする。
また、前記フィルムタイプ前面フィルターは、外部光反射を防止するための反射防止膜と；前記表示パネルからの電磁波を遮蔽する電磁波遮蔽膜と；前記表示パネルからの近赤外線を遮蔽する近赤外線遮断膜を含むことを特徴とする。
また、前記近赤外線遮断膜は、色補正のための色調節染料をさらに含むことを特徴とする。
【００２６】
本発明による表示パネルモジュールの製造方法は、表示パネルを用意する段階と；前記表示パネルの前面に有効画面領域を決定するブラックフレームを形成する段階と；前記ブラックフレームが形成された表示パネルの前面に、フィルムタイプ前面フィルターを取付ける段階を含むことを特徴とする。
また、前記ブラックフレームを形成する段階は、前記表示パネルの前面にブラックセラミックを印刷する段階と；前記ブラックセラミックを焼成する段階を含むことを特徴とする。
【発明の効果】
【００２７】
本発明によるフィルムタイプ前面フィルターを有する表示パネルモジュール及びその製造方法によれば、ブラックフレームの形成時、焼成工程によるフィルムタイプ前面フィルターの亀裂のような損傷を防止することができるようになる。
【発明を実施するための最良の形態】
【００２８】
以下、本発明の望ましい実施形態に対して、図６ないし図７Ｃを参照して詳細に説明する。
図６は、本発明の実施形態によるフィルムタイプ前面フィルターを有するＰＤＰモジュールの垂直構造を示したものである。図６に示したＰＤＰモジュールは、前面にブラックフレーム９０が形成されたＰＤＰ１３０と、そのブラックフレーム９０上に取り付けられたフィルムタイプ前面フィルター８０を備える。
【００２９】
ＰＤＰ１３０は、上板１１５と下板１２５間の放電空間に充填された不活性ガスの放電を利用して画像を表示する。
ＰＤＰ１３０の前面には、図４に示したように有効画面領域を決定すると共に、画面輪郭を目立つようにするブラックフレーム９０が形成される。
このようにブラックフレーム９０が形成されたＰＤＰ１３０の前面には、フィルムタイプ前面フィルター８０が取り付けられる。
【００３０】
フィルムタイプ前面フィルター８０は、ＰＤＰ８０から前面側へ発生した電磁波を遮断し、外部光の反射を防止し、近赤外線を遮断し、そして色補正をする。このために、フィルムタイプ前面フィルター８０は、近赤外線遮断膜８６、電磁波遮断膜８４、そして反射防止膜８２を備える。
【００３１】
近赤外線遮断膜８６は、ＰＤＰ１３０で発生した約８００〜１０００ｎｍ波長帯域の近赤外線を吸収し、外部に放射されるのを遮断する。これにより、近赤外線遮断膜８６は、リモコンから発生した制御用赤外線（約９４７ｎｍ程度）が、近赤外線の妨害を受けずに、ＰＤＰセットに収容された赤外線受信部に、正常に入力されるようにする。また、近赤外線遮断膜８６は、近赤外線吸収剤と共に色純度を高めるための色調節染料を含み、色調を調節することによって色純度を高める。
【００３２】
電磁波遮断膜８４は、ＰＤＰ１３０から発生した電磁波を吸収してその電磁波が外部に放出されるのを遮断する。
反射防止膜８２は、外部から入射した光が再び外部に反射されることを防止してコントラストを向上させる。
【００３３】
このような近赤外線遮断膜８６、電磁波遮断膜８４、反射防止膜８２は、粘着剤または接着剤によって相互に接着される。そして最下部層、例えば近赤外線遮断膜８６の背面が、ブラックフレーム９０が形成されたＰＤＰ１３０の前面に接着される。
【００３４】
図７Ａないし図７Ｃは、本発明の実施形態によるフィルムタイプ前面フィルターを有するＰＤＰモジュールの製造方法を、段階的に示したものである。
まず、図７Ａに示すように、上板１１５と下板１２５が密着されたＰＤＰ１３０を用意する。
そして、ＰＤＰ１３０の前面、すなわち上板１１５の前面に、ブラックセラミックを外縁に沿って印刷した後、熱処理して焼成する。その結果、図７Ｂに示すように、ブラックフレーム９０はＰＤＰ１３０の上板１１５に固定される。この場合、ブラックセラミックの焼成温度は、ガラスタイプ前面フィルターに含まれるブラックセラミックの焼成温度と同様の範囲に設定する。
【００３５】
図７Ｃに示すように、フィルムタイプ前面フィルター８０を別途に用意して、ブラックフレーム９０が形成されたＰＤＰ１３０の前面に取り付けられる。
このようにＰＤＰ１３０の前面にブラックフレーム９０を形成した次に、その上にフィルムタイプ前面フィルター８０を取り付けることによって、ブラックフレーム９０形成時の焼成工程によるフィルムタイプ前面フィルターの損傷（例えば、クラック）を防止することができるようになる。
【００３６】
前述したように、本発明によるフィルムタイプ前面フィルターを有する表示パネルモジュール及びその製造方法は、上板の前面にブラックフレームを形成した次に、その上にフィルムタイプ前面フィルターを取り付ける。
以上説明した内容を通じて、当業者ならば本発明の技術思想を逸脱しない範囲で多様な変更及び修正が可能なことがわかることである。したがって、本発明の技術的範囲は明細書の詳細な説明に記載された内容に限定されることでなく特許請求の範囲により定められなければならないことである。
【産業上の利用可能性】
【００３７】
本発明はフィルムタイプ前面フィルターに適切なブラックフレームを有する表示パネルモジュール及びその製造方法を提供することができる。
【図面の簡単な説明】
【００３８】
【図１】従来の３電極交流面放電型プラズマディスプレーパネルの構造を示す斜視図である。
【図２】図１に示すプラズマディスプレーパネルを含むプラズマディスプレーパネルセットの分解斜視図である。
【図３】図２に示すガラスタイプ前面フィルターと、プラズマディスプレーパネルの垂直構造を示した断面図である。
【図４】図３に示すブラックフレームにより決定される有効画面領域を示した平面図である。
【図５】従来のフィルムタイプ前面フィルターが取り付けられたプラズマディスプレーパネルの垂直構造を示した断面図である。
【図６】本発明の実施形態による前面フィルターを有するＰＤＰモジュールの垂直構造を示した断面図である。
【図７】（Ａ）〜（Ｃ）は、本発明の実施形態による前面フィルターを有するＰＤＰモジュールの製造方法を段階的に示した各断面図である。
【符号の説明】
【００３９】
８０；フィルムタイプ前面フィルター
８２；反射防止膜
８４；電磁波遮断膜
８６；近赤外線遮断膜
９０；ブラックフレーム
１１５；上板
１２５；下板
１３０；ＰＤＰ
【図１】
2004326121.tif 000003
【図２】
2004326121.tif 000004
【図３】
2004326121.tif 000005
【図４】
2004326121.tif 000006
【図５】
2004326121.tif 000007
【図６】
2004326121.tif 000008
【図７】
2004326121.tif 000009